【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
買い手と売り手との間でネットワークを介して取引するための通信システムであって、
オンライン双方向通信のために双方向データベースに関連してデータを処理するためのプロセッサを含むホストサーバであって、該双方向データベースは、取引に関連した情報を受信し、該受信した情報に関連した商品に対するリクエストを受信し、該商品に対するリクエストは、該双方向データベースにおいてリクエストされた商品情報をロックアウトする、ホストサーバと、
該商品に対するリクエストを格納するためにプロセッサに結合されたメモリと、
承認のためにクリアリングハウスに該リクエストに関連する情報をルーティングするために該ホストサーバに接続された通信チャネルであって、該クリアリングハウスは、該買い手のプロフィールに基づいて、該リクエストを承諾または拒絶する、通信チャネルと、
該ホストサーバと、運送業者、該買い手および該売り手との間を結合し、該クリアリングハウスが該リクエストを承諾した場合、該運送業者、該買い手および該売り手のうちの少なくとも１つに通知し、該クリアリングハウスが該リクエストを拒絶した場合、該リクエストされた商品情報をリリースするための第２の通信チャネルと
を備える、通信システム。
【請求項２】
前記クリアリングハウスがリクエストを承諾した場合、前記運送業者、前記買い手および前記売り手のうちの少なくとも１つは、前記第２の通信チャネルを介して通知される、請求項１に記載の通信システム。
【請求項３】
前記クリアリングハウスがリクエストを承諾した場合、前記リクエストされた情報に関連して前記買い手の銀行において該買い手の資金を保留にし、該買い手の資金が保留される場合、該買い手の資金の少なくとも第１の部分は、該買い手の銀行から運送業者金融機関にリリースされる、請求項１に記載の通信システム。
【請求項４】
前記クリアリングハウス、前記買い手の銀行および前記運送業者金融機関のうちの少なくとも１つは、異なる国々にある、請求項３に記載の通信システム。
【請求項５】
前記双方向データベースはエクストラネットを含む、請求項１に記載の通信システム。
【請求項６】
買い手と売り手との間でネットワークを介して取引するための通信システムであって、
オンライン双方向通信のために双方向データベースに関連してデータを処理するためのプロセッサを含むホストサーバであって、該双方向データベースは、取引に関連した情報を受信し、該受信した情報に関連した商品に対するリクエストを受信し、該商品に対するリクエストは、該双方向データベースにおいて該リクエストされた商品情報をロックアウトする、ホストサーバと、
該データを格納するためにプロセッサに結合されたメモリと、
該メモリに該データを入力するために該メモリおよび該プロセッサに結合された入力デジタイザと、
該メモリに格納され、該プロセッサによって該データの処理を指示するために該プロセッサによりアクセス可能なアプリケーションプログラムであって、
取引に関連して該双方向データベースのための情報を受信する工程と、
受信した情報に関連する商品に対するリクエストを受信する工程であって、該商品に対するリクエストが、該リクエストされた商品情報をロックアウトする、工程と、
該リクエストに関連する情報を、承認のために、クリアリングハウスにルーティングする工程であって、該クリアリングハウスは、該買い手のプロフィールに基づいて、該リクエストを承諾または拒絶する、工程と、
該クリアリングハウスが該リクエストを承諾した場合、運送業者、該買い手および該売り手のうちの少なくとも１つに通知する工程と、
該クリアリングハウスが該リクエストを拒絶した場合、該リクエストされた商品情報をリリースする工程と
を容易化するように構成されたアプリケーションプログラムと
を備える、通信システム。
【請求項７】
買い手と売り手との間でネットワークを介して取引するための方法であって、
オンライン双方向通信のために、プロセッサを有するホストサーバの双方向データベースを提供する工程と、
取引に関連して該ホストサーバで該双方向データベースのための情報を受信し、該情報を該プロセッサに結合されたメモリに格納する工程と、
該受信された情報に関連して該ホストサーバで商品に対するリクエストを受信する工程であって、該商品に対するリクエストが、該双方向データベースにおいて該リクエストされた商品情報をロックアウトする、工程と、
該リクエストに関連する情報を、承認のために、該ホストサーバからクリアリングハウスにルーティングする工程であって、該クリアリングハウスは、該買い手のプロフィールに基づいて、該リクエストを承諾または拒絶する、工程と、
該クリアリングハウスが該リクエストを承諾した場合、運送業者、該買い手および該売り手のうちの少なくとも１つに通信チャネルを介して通知する工程と、
該クリアリングハウスが該リクエストを拒絶した場合、該双方向データベースにおいて該リクエストされた商品情報をリリースする工程と
を包含する方法。
【請求項８】
前記リクエストされた情報に関連して、前記買い手の資金を該買い手の銀行で保留にする工程と、
該買い手の資金の少なくとも第１の部分を、該買い手の銀行から運送業者金融機関にリリースする工程と、
該買い手の資金の少なくとも第２の部分を、第２の運送業者金融機関を介して、該運送業者金融機関から前記売り手にリリースする工程と、
該買い手の資金の少なくとも第３の部分を、該運送業者金融機関、該第２の運送業者金融機関および第３の運送業者金融機関のうちの少なくとも１つを介して、前記双方向データベースにリリースする工程と
のうちの少なくとも１つをさらに包含する、請求項７に記載の方法。
【請求項９】
前記方法が、異なる国々にある前記買い手の銀行、前記運送業者金融機関、前記第２の運送業者金融機関、および前記第３の運送業者金融機関のうちの少なくとも１つを提供する工程をさらに含む、請求項８に記載の方法。
【請求項１０】
エクストラネットを介した前記オンライン双方向通信へのアクセスを制限する工程をさらに包含する、請求項７に記載の方法。
【請求項１１】
前記クリアリングハウスが前記リクエストを承諾した場合、前記運送業者、前記買い手、前記売り手のうちの少なくとも１つに通知する工程は、
該運送業者の集荷および配達条件を特定する工程と、
該リクエストの承認を該買い手に通知し、購入条件を特定する工程と、
物およびサービスのうちの少なくとも１つを該買い手に配達する工程と、
配達確認を生成し、該配達確認を該クリアリングハウスに送信する工程と、
金融機関から支払いを徴収し、該支払いを、前記双方向データベースおよび該売り手に配信する工程と
のうちの少なくとも１つを包含する、請求項７に記載の方法。
【請求項１２】
前記入力された情報および前記リクエストされた情報が、実質的にリアルタイムで更新される、請求項７に記載の方法。
【請求項１３】
前記オンライン双方向通信のために双方向データベースを提供する工程が、所定のアクセス権を有する、請求項７に記載の方法。
【請求項１４】
前記商品に対するリクエストが海産食品産業と関連する、請求項７に記載の方法。
【請求項１５】
買い手と売り手との間でネットワークを介して取引するための双方向データベースを動作する方法であって、
取引に関連する情報をプロセッサを有するホストサーバで受信する工程と、
該受信された情報に関連して該ホストサーバで商品に対するリクエストを受信し、該プロセッサに結合されたメモリに該リクエストを格納する工程と、
該リクエストに関連する情報を、承認のために、該ホストサーバからクリアリングハウスへとルーティングする工程であって、該クリアリングハウスが、該買い手のプロフィールに基づいて、該リクエストを承諾または拒絶する、工程と、
該クリアリングハウスが該リクエストを承諾した場合、運送業者、該買い手、および該売り手のうちの少なくとも１つに通信チャネルを介して通知する工程と、
該クリアリングハウスが該リクエストを承諾した場合、該買い手の資金の少なくとも第１の部分を、該買い手の銀行から運送業者金融機関にリリースする工程と
を包含する方法。
【請求項１６】
買い手と売り手との間でネットワークを介して取引するための方法であって、
オンライン双方向通信のためにプロセッサを有するホストサーバの双方向データベースにアクセスする工程であって、該双方向データベースが、取引に関連する情報を含む、工程と、
該情報に関連する商品に対するリクエストを該双方向データベースに提出する工程であって、該リクエストに関連する情報が、該買い手のプロフィールに基づいて、承認のために、該双方向データベースからクリアリングハウスにルーティングされる、工程と、
該クリアリングハウスが該リクエストを承諾した場合、該商品の支払いを認可して、運送業者、該買い手、および該売り手のうちの少なくとも１つに通知する工程と、
該買い手の資金の少なくとも第１の部分を、該買い手の銀行から運送業者金融機関にリリースする工程と、
該クリアリングハウスが該リクエストを拒絶した場合、該商品に関連する該支払いを拒絶して、該リクエストされた商品情報をリリースする工程と
を包含する方法。
【請求項１７】
オンライン双方向通信のための双方向データベースを用いて、買い手と売り手との間でネットワークを介して取引するための方法であって、
該双方向データベースと通信し、取引に関連する情報を交換する工程と、
買い手のリクエストに関連する情報をルーティングするためにクリアリングハウスと通信する工程であって、該クリアリングハウスが、該買い手のプロフィールに基づいて、該リクエストを承諾または拒絶する、工程と、
該クリアリングハウスが該リクエストを承諾した場合、該クリアリングハウスからの通知を受信する工程と、
該リクエストされた商品情報に関連して、該買い手の資金を、該買い手の銀行で保留にする工程と、
該買い手の資金の少なくとも第１の部分を、該買い手の銀行から運送業者金融機関にリリースする工程と、
該買い手の資金の少なくとも第２の部分を、該運送業者金融機関から、第２の運送業者金融機関を介して、該売り手にリリースする工程と、
該買い手の資金の少なくとも第３の部分を、該運送業者金融機関、該第２の運送業者金融機関、および第３の運送業者金融機関のうちの少なくとも１つを介して、該双方向データベースにリリースする工程と
を包含する方法。
【請求項１８】
前記売り手は、商品情報、ＳＫＵ番号、海産食品が生であるかまたは冷凍であるかの特徴、海産食品のタイプ、販売情報、および買い手情報のうちの少なくとも１つを含む前記双方向データベースに情報を入力し得、それにより、該双方向データベースは、通信を容易にし、かつ統合するためにこのような入力された情報をミラーリングし得る、請求項１に記載の方法。
【請求項１９】
買い手、マーチャント、および運送業者の間のコンピュータネットワークを介した販売取引を容易にする方法であって、
少なくとも１人の買い手および少なくとも１人のマーチャントに該販売取引に参加する資格を与える工程と、
該運送業者経由で、該買い手から買い手口座コードを受け取り、該運送業者が該買い手の資金の少なくとも一部分を保留にし、保留状態の買い手の資金を確立することを可能にする工程であって、該買い手口座コードは、買い手口座に貯蓄される買い手の資金を含む口座に対応する、工程と、
該運送業者経由で、該マーチャントからマーチャント口座コードを受け取り、該運送業者が該保留状態の買い手の資金をマーチャント口座へ貯蓄することを可能にする工程であって、該マーチャント口座コードは、該マーチャント口座に関連する、工程と、
複数のマーチャントから入手可能な腐りやすく柔らかい品物に対応する複数のラインアイテムのオンライン表示を容易にするホストデータベースを提供する工程と、
該買い手による該オンライン表示のアクセスを提供する工程と、
該買い手による後の購入のために、該買い手から、該複数のラインアイテムの特定の１つの識別子を受け取る工程と、
該オンライン表示上の該識別されたラインアイテムをロックアウトする工程と、
該ロックアウトされたラインアイテムに対応する該腐りやすく柔らかい品物を入手可能な在庫リストから削除する工程と、
買い手のクレジットを解析する工程と、
買い手のクレジットが十分であれば、該運送業者が該買い手の資金の少なくとも一部分を保留にし、保留状態の買い手の資金を確立することを可能にして、該取引を終了する工程と、
買い手のクレジットが不十分であれば、該オンライン表示上の該識別されたラインアイテムを解除し、該ロックアウトされたラインアイテムに対応する該腐りやすく柔らかい品物の入手可能な在庫リストからの削除を取り消す工程と
を包含し、
該取引を終了する工程は、
該運送業者経由で該マーチャント口座コードを利用して該保留状態の買い手の資金を該マーチャント口座へ貯蓄する工程と、
該マーチャントから該買い手へ該運送業者を介して、該ロックアウトされたラインアイテムに対応する該腐りやすく柔らかい品物を輸送する工程と
を包含する、方法。
【請求項２０】
前記運送業者が前記買い手の資金の少なくとも一部分を保留にし、保留状態の買い手の資金を確立することを可能にする工程は、前記取引の金額に取引料金をプラスした金額に等しい該買い手の資金を保留にする工程を包含する、請求項１に記載の方法。
【請求項２１】
複数のマーチャントから入手可能な腐りやすく柔らかい品物に対応する複数のラインアイテムのオンライン表示を容易にするホストデータベースを提供する工程は、同様の産業の複数のマーチャントから入手可能な腐りやすく柔らかい品物に対応する複数のラインアイテムを含む、請求項１に記載の方法。
【請求項２２】
複数のラインアイテムのオンライン表示を容易にするホストデータベースを提供する工程は、産業に特定の情報のオンライン表示を含む、請求項１に記載の方法。
【請求項２３】
前記運送業者が前記買い手の資金の少なくとも一部分を保留にし、保留状態の買い手の資金を確立することを可能にする工程は、該運送業者が該買い手の口座を保持する金融機関と既存の関係を有する工程を包含する、請求項１に記載の方法。
【請求項２４】
前記運送業者経由で、前記マーチャント口座コードを利用して前記保留状態の買い手の資金を前記マーチャント口座へ貯蓄する工程は、該運送業者が該マーチャント口座を保持する金融機関と既存の関係を有する工程を包含する、請求項１に記載の方法。
【請求項２５】
前記買い手の口座に関連する第１の金融機関および前記マーチャントの口座に関連する第２の金融機関は、異なる国で創設された機関である、請求項１に記載の方法。
【請求項２６】
買い手のクレジットを解析する工程および前記取引を終了する工程のうちの少なくとも１つの工程と実質的にリアルタイムで、前記輸送業者、前記買い手、および前記マーチャントの少なくとも１つに通知する工程をさらに包含する、請求項１に記載の方法。
【請求項２７】
複数のマーチャントから入手可能な腐りやすく柔らかい品物に対応する複数のラインアイテムのオンライン表示を容易にするホストデータベースを提供する工程は、海産食品に対応するラインアイテムを含む、請求項１に記載の方法。